(57)【要約】  給湯装置は、貯湯タンクと、貯湯タンクの湯水と浴槽の湯水とが熱交換する熱交換器と、浴槽及び熱交換器を接続する浴槽循環経路と、浴槽循環経路に設けられた浴槽循環ポンプと、貯湯タンク及び熱交換器を接続する湯水循環経路と、湯水循環経路に設けられたタンク循環ポンプと、浴槽循環ポンプ及びタンク循環ポンプの動作を制御する制御装置と、を備え、制御装置は、浴槽循環ポンプ及びタンク循環ポンプを駆動し、浴槽の湯水の有する熱を貯湯タンクの湯水に回収する浴槽熱回収運転と、浴槽循環ポンプを駆動し、浴槽の湯水を循環する浴槽洗浄運転と、を有し、浴槽の湯水が排水される前に、浴槽熱回収運転及び浴槽洗浄運転の双方を実施するものである。
2019077684.tif 000002
【特許請求の範囲】
【請求項１】
貯湯タンクと、
前記貯湯タンクの湯水と浴槽の湯水とが熱交換する熱交換器と、
前記浴槽及び前記熱交換器を接続する浴槽循環経路と、
前記浴槽循環経路に設けられた浴槽循環ポンプと、
前記貯湯タンク及び前記熱交換器を接続する湯水循環経路と、
前記湯水循環経路に設けられたタンク循環ポンプと、
前記浴槽循環ポンプ及び前記タンク循環ポンプの動作を制御する制御装置と、を備え、
前記制御装置は、
前記浴槽循環ポンプ及び前記タンク循環ポンプを駆動し、前記浴槽の湯水の有する熱を前記貯湯タンクの湯水に回収する浴槽熱回収運転と、
前記浴槽循環ポンプを駆動し、前記浴槽の湯水を循環する浴槽洗浄運転と、を有し、
前記浴槽の湯水が排水される前に、前記浴槽熱回収運転及び前記浴槽洗浄運転の双方を実施する
給湯装置。
【請求項２】
前記制御装置は、
消費エネルギーの抑制を優先する場合又は洗浄を優先する場合が選択されることで、
前記浴槽循環ポンプ及び前記タンク循環ポンプの駆動順序を変更する
請求項１に記載の給湯装置。
【請求項３】
前記制御装置は、
前記消費エネルギーの抑制を優先する場合が選択されているとき、
前記浴槽熱回収運転を実施し、
その後、前記タンク循環ポンプを停止し、前記浴槽循環ポンプの駆動を継続する
請求項２に記載の給湯装置。
【請求項４】
前記制御装置は、
洗浄を優先する場合が選択されているとき、
前記浴槽洗浄運転を実施し、
その後、前記タンク循環ポンプを駆動させ、前記浴槽熱回収運転を実施し、
その後、前記タンク循環ポンプ及び前記浴槽循環ポンプを停止する
請求項２に記載の給湯装置。
【請求項５】
前記制御装置は、
前記浴槽の湯水が排水される前に前記浴槽熱回収運転を実施し、その後に洗浄を優先する場合が選択されているとき、
前記浴槽循環ポンプ及び前記タンク循環ポンプを駆動させ、前記浴槽の湯水を追い焚きする追い焚き運転を実施し、
その後、前記浴槽洗浄運転を実施する
請求項２に記載の給湯装置。
【請求項６】
前記制御装置は、
前記浴槽洗浄運転を停止させた後に、前記浴槽熱回収運転を実施し、
その後、再度、前記浴槽洗浄運転を実施する
請求項５に記載の給湯装置。
【請求項７】
前記制御装置は、
前記追い焚き運転の実施前に、前記タンク循環ポンプ及び前記浴槽循環ポンプを停止させ、
その後、再度、前記タンク循環ポンプ及び前記浴槽循環ポンプを駆動させることで前記追い焚き運転を実施する
請求項５又は６に記載の給湯装置。
【請求項８】
前記制御装置は、
前記貯湯タンクの湯水の温度と前記浴槽の湯水の温度との差温によって、前記タンク循環ポンプの停止を決定する
請求項３〜７のいずれか一項に記載の給湯装置。
【請求項９】
前記浴槽洗浄運転を実施する前に添加剤が投入される
請求項１〜８のいずれか一項に記載の給湯装置。
【発明の詳細な説明】
【技術分野】
【０００１】
本発明は、貯湯タンクを備える給湯装置に関するものである。
【背景技術】
【０００２】
近年、給湯装置は、高機能化しており、単に温水を生成する機能だけでなく、給湯温度を適温に調整する機能、及び、浴槽に適量の湯張りをする機能を備えている。
また、浴槽内の湯水を給湯装置までポンプを用いて搬送し、給湯装置で生成した湯水と熱交換することで、浴槽内の湯水を追い焚きしたり、熱回収したり、することが可能な給湯装置も出現している。
そのようなものとして、特許文献１には、浴槽の湯水と給湯装置に備えられた貯湯タンクの湯水とを熱交換させ、熱回収し、システム効率を向上させることにより、エネルギー消費を低減する給湯装置が開示されている。【０００３】
さらに、浴槽と給湯装置とを接続する配管内の湯水をポンプにより搬送し、浴槽の湯水を循環させ、浴槽の洗浄を実施する機能を備えた給湯装置も存在する。
そのようなものとして、特許文献２には、浴槽の湯水を循環させることで、浴槽の洗浄を可能とした給湯装置が開示されている。
【先行技術文献】
【特許文献】
【０００４】
【特許文献１】特許第５１２６４３２号公報
【特許文献２】特開２０１６−４８１３０号公報
【発明の概要】
【発明が解決しようとする課題】
【０００５】
特許文献１及び特許文献２に記載の技術は、給湯装置がもともと備えているポンプなどの共通構成を利用することを前提としている。そのため、特許文献１及び特許文献２に記載の技術では、共通構成の動作が互いに干渉してしまう場合があった。つまり、特許文献１では、共通構成の動作が互いに干渉することによって、所望のエネルギー消費の低減効果が得られないといった問題点があった。また、特許文献２では、共通構成の動作が互いに干渉することによって、所望の洗浄効果が得られないといった問題点があった。【０００６】
本発明は、上記のような実情を鑑みてなされたもので、浴槽熱回収運転及び浴槽洗浄運転の適正化を図るようにした給湯装置を提供することを目的としたものである。
【課題を解決するための手段】
【０００７】
本発明に係る給湯装置は、貯湯タンクと、前記貯湯タンクの湯水と浴槽の湯水とが熱交換する熱交換器と、前記浴槽及び前記熱交換器を接続する浴槽循環経路と、前記浴槽循環経路に設けられた浴槽循環ポンプと、前記貯湯タンク及び前記熱交換器を接続する湯水循環経路と、前記湯水循環経路に設けられたタンク循環ポンプと、前記浴槽循環ポンプ及び前記タンク循環ポンプの動作を制御する制御装置と、を備え、前記制御装置は、前記浴槽循環ポンプ及び前記タンク循環ポンプを駆動し、前記浴槽の湯水の有する熱を前記貯湯タンクの湯水に回収する浴槽熱回収運転と、前記浴槽循環ポンプを駆動し、前記浴槽の湯水を循環する浴槽洗浄運転と、を有し、前記浴槽の湯水が排水される前に、前記浴槽熱回収運転及び前記浴槽洗浄運転の双方を実施するものである。
【発明の効果】
【０００８】
本発明に係る給湯装置は、浴槽の湯水が排水される前に、浴槽熱回収運転及び浴槽洗浄運転の双方を実施するので、浴槽熱回収運転及び浴槽洗浄運転の制御の適正化を図ることができる。
【図面の簡単な説明】
【０００９】
【図１】本発明の実施の形態に係る給湯装置の構成の一例を示す概略構成図である。
【図２】本発明の実施の形態に係る給湯装置の制御装置のハードウェア構成を示すブロック図である。
【図３】本発明の実施の形態に係る給湯装置の制御装置の機能構成を示す機能ブロック図である。
【図４】本発明の実施の形態に係る給湯装置が実行する浴槽熱回収運転を説明する概略構成図である。
【図５】本発明の実施の形態に係る給湯装置が実行する浴槽洗浄運転を説明する概略構成図である。
【図６】本発明の実施の形態に係る給湯装置が実行する追い焚き運転を説明する概略構成図である。
【図７】本発明の実施の形態に係る給湯装置の浴槽熱回収運転及び浴槽洗浄運転をするための制御フローの一例を示したフローチャートである。
【図８】本発明の実施の形態に係る給湯装置の浴槽洗浄効果を優先する場合の制御フローの一例を示したフローチャートである。
【図９】本発明の実施の形態に係る給湯装置の排水及びすすぎの少なくとも一方がすぐに実施されない場合の制御フローの一例を示したフローチャートである。
【図１０】本発明の実施の形態に係る給湯装置の消費エネルギーの低減効果を優先する場合の制御フローの一例を示したフローチャートである。
【発明を実施するための形態】
【００１０】
以下、本発明の実施の形態について図面を参照して詳細に説明する。なお、本実施の形態で使用する各図においては、共通する要素に同一の符号付けをするものとする。また、本発明は、以下に説明する実施の形態に限定されるものではなく、本発明の趣旨を逸脱しない範囲で種々に変形することが可能である。また、本実施の形態において、「湯水」とは、温水及び冷水を総称している。また、浴槽２００の湯水とは、浴槽２００に貯められている湯水を意味し、貯湯タンク１２０の湯水とは、貯湯タンク１２０に貯留されている湯水を意味しているものとする。
【００１１】
図１は、本発明の実施の形態に係る給湯装置１００の構成の一例を示す概略構成図である。図１に基づいて、給湯装置１００の構成について説明する。なお、図１では、給湯装置１００に接続されている浴槽２００についても併せて図示している。
【００１２】
給湯装置１００は、給湯端末１４０へ、ユーザが所望する温度の湯水を供給するものである。図１では、給湯装置１００の一例として、ヒートポンプユニット１１０により湯水を沸き挙げるヒートポンプ給湯装置を図示している。給湯端末１４０とは、調理場あるいは風呂場等に設定される蛇口、又は、シャワーヘッド等である。本実施の形態では、給湯装置１００は、給水端１５０から供給される低温の湯水を加熱して、給湯端末１４０に湯水を供給する場合を例に説明する。なお、給湯装置１００で生成された湯水は、浴槽２００への給湯にも利用される。
【００１３】
図１に示すように、給湯装置１００は、制御装置１６０と、貯湯タンク１２０と、ヒートポンプユニット１１０と、を備える。
また、給湯装置１００は、熱交換器１３３と、浴槽循環経路１３０と、湯水循環経路１８０と、を備える。
【００１４】
制御装置１６０は、給湯装置１００の全体の動作を統括制御するものである。具体的には、制御装置１６０は、給湯リモコン等の図示しない外部端末と通信可能に接続され、外部端末が受け付けたユーザ操作の内容に応じて、給湯装置１００の各部の動作を制御する。また、制御装置１６０は、給湯装置１００の運転状態、及び、操作画面等を外部端末に表示させる。制御装置１６０の詳細については後述する。
【００１５】
貯湯タンク１２０は、湯水を貯留するものである。貯湯タンク１２０は、ステンレスなどの金属、又は樹脂などで形成されている。貯湯タンク１２０の外側には図示しない断熱材が配置されている。これにより、貯湯タンク１２０は、貯留された湯水を長時間に渡って保温することができる。
【００１６】
貯湯タンク１２０は、下部において給水端１５０へと連通する給水管１５１が接続され、下部から低温の湯水が供給される。また、貯湯タンク１２０は、下部においてヒートポンプユニット１１０に連通する湯水循環経路１８０で接続され、上部において第１高温水管５１及び第２高温水管５２を介してヒートポンプユニット１１０に連通する湯水循環経路１８０で接続される。これにより、貯湯タンク１２０の下部から流出した低温の湯水が、ヒートポンプユニット１１０内の熱交換器を経て高温の湯水となり、貯湯タンク１２０の上部へ戻される。このような循環によって沸き上げ回路が構成される。
【００１７】
第１高温水管５１は、貯湯タンク１２０の上部と配管５５とを接続している。配管５５は、第２四方弁１２４と後述する温度調整部６０とを接続する配管である。配管５５は、湯水循環経路１８０の一部を構成する。
第２高温水管５２は、貯湯タンク１２０の上部と配管５６とを接続している。配管５６は、第２四方弁１２４と熱交換器１３３とを接続する配管である。配管５６は、湯水循環経路１８０の一部を構成する。また、第２高温水管５２は、湯水の流れを一方向にのみ許容する逆止弁５３が設けられている。
【００１８】
ヒートポンプユニット１１０は、貯湯タンク１２０を介して供給される低温の湯水を加熱する熱源である。ヒートポンプユニット１１０は、二酸化炭素又はＨＦＣ（ハイドロフルオロカーボン）などを冷媒として用いたヒートポンプを備えている。つまり、ヒートポンプユニット１１０は、圧縮機、冷媒と湯水との間の熱交換を行う第１熱交換器、膨張弁、外気と冷媒との間の熱交換を行う第２熱交換器、送風機、温度センサ、及び、制御基板等を構成として備えている。圧縮機、第１熱交換器、膨張弁及び第２熱交換器は、環状に配管接続され、冷媒を循環させるための冷凍サイクル回路が形成される。冷凍サイクル回路は、冷媒回路ともいう。
【００１９】
浴槽循環経路１３０は、給湯装置１００を、浴槽２００と接続する。浴槽循環経路１３０は、浴槽戻り配管１３４及び浴槽往き配管１３５を有している。また、浴槽戻り配管１３４には、浴槽２００の湯水を循環させる浴槽循環ポンプ１３１が設けられている。そのため、浴槽循環ポンプ１３１を駆動させることにより、給湯装置１００と浴槽２００との間で湯水を循環させることができる。浴槽２００の湯水は、浴槽戻り配管１３４を経由して、給湯装置１００へと流入する。給湯装置１００の湯水は、浴槽往き配管１３５を経由して浴槽２００へと流入する。
なお、浴槽循環ポンプ１３１は、浴槽往き配管１３５に設けてもよい。また、浴槽循環ポンプ１３１の動作は、制御装置１６０によって制御される。
【００２０】
浴槽循環経路１３０の浴槽戻り配管１３４には、浴槽２００の湯水と、貯湯タンク１２０の湯水とを熱交換させる熱交換器１３３が設けられている。
【００２１】
給湯装置１００は、湯水循環経路１８０を介して、貯湯タンク１２０を、ヒートポンプユニット１１０及び熱交換器１３３と接続する。湯水循環経路１８０には、貯湯タンク１２０の湯水をヒートポンプユニット１１０及び熱交換器１３３に搬送するタンク循環ポンプ１２１が設けられている。また、湯水循環経路１８０には、三方弁１２２、第１四方弁１２３、及び、第２四方弁１２４が設けられている。そのため、タンク循環ポンプ１２１の駆動、三方弁１２２の切り替え、第１四方弁１２３の切り替え、及び、第２四方弁１２４の切り替えにより、目的に応じて湯水の流れが変更できる。さらに、湯水循環経路１８０の熱交換器１３３の流出側には逆止弁１９７が設置されている。
【００２２】
タンク循環ポンプ１２１は、湯水循環経路１８０に設けられていればよく、設置位置を特に限定するものではない。タンク循環ポンプ１２１の動作は、制御装置１６０によって制御される。
三方弁１２２は、湯水の流路を切り替えるものであり、第１ポートａ１、第２ポートｂ１、及び、第３ポートｃ１を有している。第１ポートａ１は貯湯タンク１２０の下部に接続されている。第２ポートｂ１はヒートポンプユニット１１０に接続されている。第３ポートｃ１は熱交換器１３３に接続されている。また、三方弁１２２の動作は、制御装置１６０によって制御される。
【００２３】
第１四方弁１２３は、湯水の流路を切り替えるものであり、第１ポートａ２、第２ポートｂ２、第３ポートｃ２、及び、第４ポートｄ２を有している。第１ポートａ２は後述する第２四方弁１２４の第２ポートｂ３に接続されている。第２ポートｂ２はヒートポンプユニット１１０に接続されている。第３ポートｃ２は貯湯タンク１２０の下部に接続されている。第４ポートｄ２は三方弁１２２とヒートポンプユニット１１０との間に接続されている。また、第１四方弁１２３の動作は、制御装置１６０によって制御される。
【００２４】
第２四方弁１２４は、湯水の流路を切り替えるものであり、第１ポートａ３、第２ポートｂ３、第３ポートｃ３、及び、第４ポートｄ３を有している。第１ポートａ３は熱交換器１３３に接続されている。第２ポートｂ３は第１四方弁１２３の第１ポートａ２に接続されている。第３ポートｃ３は貯湯タンク１２０の側面中央部に接続されている。第４ポートｄ３は貯湯タンク１２０の上部及び給湯端末１４０に接続されている。また、第２四方弁１２４の動作は、制御装置１６０によって制御される。
【００２５】
温度調整部６０は、湯水循環経路１８０の一部を構成し、貯湯タンク１２０の高温の湯水と市水、つまり給水端１５０から供給される低温の湯水とを混合して、貯湯タンク１２０の湯水の温度を調整するものである。また、温度調整部６０は、給湯端末１４０及び浴槽２００に供給する湯水の温度も調整している。
温度調整部６０は、逆止弁６１、逆止弁６２、三方弁６３、三方弁６４、三方弁６５、及び、二方弁６６を備えている。
【００２６】
逆止弁６１は、配管５５に設けられ、湯水の流れを貯湯タンク１２０側から温度調整部６０の方向にのみ許容するものである。なお、配管５５は、逆止弁６１の下流側で配管３１と配管３２とに分岐されている。
三方弁６３は、配管３１及び給湯端末１４０に接続している配管１４０Ａが接続され、湯水の流れを切り替えるものである。
三方弁６４は、配管３２及び給水端１５０に接続している配管１５０Ａが接続され、湯水の流れを切り替えるものである。
【００２７】
三方弁６５は、配管１４０Ａ及び配管３３が接続され、湯水の流れを切り替えるものである。
逆止弁６２は、配管３３に設けられ、湯水の流れを三方弁６５側から三方弁６３又は三方弁６４の方向にのみ許容するものである。なお、配管３３は、逆止弁６２の下流側で配管３１と配管３２に接続されている。
二方弁６６は、三方弁６４と浴槽２００との間に設けられ、開閉が制御されることで、温度調整部６０からの湯水を浴槽２００に供給したりしなかったりするものである。
【００２８】
なお、タンク循環ポンプ１２１及び浴槽循環ポンプ１３１は、インバータ回路を備え、制御装置１６０から指示される制御値に従って駆動回転数が変更されることにより、湯水を搬送する際の流量を変化させることができる。
【００２９】
以上、給湯装置１００の構成について概略的に説明した。以下、給湯装置１００の制御装置１６０の構成について詳細に説明する。図２は、給湯装置１００の制御装置１６０のハードウェア構成を示すブロック図である。
【００３０】
制御装置１６０は、図２に示すように、ＣＰＵ１６１と、通信インタフェース１６２と、ＲＯＭ１６３と、ＲＡＭ１６４と、二次記憶装置１６５と、を備える。そして、ＣＰＵ１６１、通信インタフェース１６２、ＲＯＭ１６３、ＲＡＭ１６４、及び、二次記憶装置１６５は、バス１６６を介して相互に接続される。ＣＰＵは、Ｃｅｎｔｒａｌ  Ｐｒｏｃｅｓｓｉｎｇ  Ｕｎｉｔのことである。ＲＯＭは、Ｒｅａｄ  Ｏｎｌｙ  Ｍｅｍｏｒｙのことである。ＲＡＭは、Ｒａｎｄｏｍ  Ａｃｃｅｓｓ  Ｍｅｍｏｒｙのことである。
【００３１】
ＣＰＵ１６１は、制御装置１６０を統括的に制御する。ＣＰＵ１６１によって実現される機能の詳細については後述する。
通信インタフェース１６２は、有線通信又は無線通信を行うためのＮＩＣを含んで構成される。通信インタフェース１６２は、外部端末の制御基板及び駆動装置に通信可能に接続される。また、通信インタフェース１６２は、ヒートポンプユニット１１０の制御基板及び駆動装置に通信可能に接続される。なお、駆動装置とは、モータ及びギア等から構成され、タンク循環ポンプ１２１及び浴槽循環ポンプ１３１等を駆動するための装置である。また、ＮＩＣとは、Ｎｅｔｗｏｒｋ  Ｉｎｔｅｒｆａｃｅ  Ｃａｒｄ  ｃｏｎｔｒｏｌｌｅｒのことである。
【００３２】
制御装置１６０は、通信インタフェース１６２を介して外部端末からのユーザ操作を受け付けたり、通信インタフェース１６２を介して外部端末へ給湯装置１００の運転状態及び操作画面等の少なくとも１つを表示させたりする。また、制御装置１６０は、ヒートポンプユニット１１０の制御基板に制御信号を送信して圧縮機、膨張弁、及び、送風機等を制御したり、駆動装置に制御信号を送信してタンク循環ポンプ１２１及び浴槽循環ポンプ１３１等を制御したりする。
【００３３】
ＲＯＭ１６３は、複数のファームウェア、及び、複数のファームウェアの実行時に使用されるデータ等を記憶する。
ＲＡＭ１６４は、ＣＰＵ１６１の作業領域として使用される。
【００３４】
二次記憶装置１６５は、ＥＥＰＲＯＭ又はフラッシュメモリ等の読み書き可能な不揮発性の半導体メモリ、あるいは、ハードディスクドライブ等から構成される。二次記憶装置１６５は、給湯装置１００の動作を制御するためのプログラム、及び、これらのプログラムの実行時に使用されるデータ等を記憶する。プログラムの実行時に使用されるデータには、給湯装置１００の運転モードと、運転モードに対応したタンク循環ポンプ１２１及び浴槽循環ポンプ１３１の制御を示すデータが含まれる。
なお、ＥＥＰＲＯＭは、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙのことである。
【００３５】
図３は、給湯装置１００の制御装置１６０の機能構成を示す機能ブロック図である。
図３に示すように、制御装置１６０は、機能的には、ユーザインタフェース部１６７と、機器状態取得部１６８と、機器制御部１６９と、運転モード実行部１７０と、を備える。ユーザインタフェース部１６７、機器状態取得部１６８、機器制御部１６９、及び、運転モード実行部１７０の各機能部は、ＣＰＵ１６１が二次記憶装置１６５に記憶されている１又は複数のプログラムを実行することで実現される。
【００３６】
ユーザインタフェース部１６７は、外部端末を介したユーザインタフェース処理を行う。すなわち、ユーザインタフェース部１６７は、外部端末を介してユーザ操作を受け付ける。また、ユーザインタフェース部１６７は、ユーザに提示するための情報を外部端末に送信し、その情報を外部端末に表示させる。なお、ユーザインタフェース部１６７は、受付手段及び指定受付手段としても機能する。また、ユーザに提示するための情報としては、給湯装置１００の運転状態を示す情報等が含まれる。
【００３７】
機器状態取得部１６８は、例えば３０秒等の一定時間毎に、ヒートポンプユニット１１０から運転状態及び計測温度等のデータを取得し、駆動装置から循環ポンプ等の駆動状態を示すデータを取得する。循環ポンプとは、タンク循環ポンプ１２１及び浴槽循環ポンプ１３１のことである。
【００３８】
機器制御部１６９は、外部端末を介したユーザ操作に従って、給湯装置１００の全体の動作を制御する。
【００３９】
運転モード実行部１７０は、外部端末を介したユーザ操作によって選択された運転モードに対応するヒートポンプユニット１１０及び循環ポンプの制御を二次記憶装置１６５から読み出して、読み出した制御を機器制御部１６９に実行させる。
【００４０】
＜給湯装置１００の浴槽熱回収運転＞
次に、給湯装置１００の動作について説明する。図４は、給湯装置１００が実行する浴槽熱回収運転を説明する概略構成図である。図４に基づいて、給湯装置１００が実行する浴槽熱回収運転について説明する。なお、図４では、湯水の流れを太線矢印で示している。
【００４１】
浴槽熱回収運転時、浴槽循環ポンプ１３１、タンク循環ポンプ１２１、三方弁１２２、第１四方弁１２３及び第２四方弁１２４は以下のように制御される。
浴槽循環ポンプ１３１は、予め設定されている回転数により駆動される。タンク循環ポンプ１２１は、予め設定されている回転数により駆動される。三方弁１２２は、第１ポートａ１から第２ポートｂ１に湯水が流れるように制御される。第１四方弁１２３は、第４ポートｄ２から第１ポートａ２に湯水が流れるように制御される。第２四方弁１２４は、第２ポートｂ３から第１ポートａ３に湯水が流れるように制御される。つまり、三方弁１２２、第１四方弁１２３及び第２四方弁１２４は、貯湯タンク１２０の下部と熱交換器１３３とを接続するように切り替えられる。
【００４２】
まず、浴槽循環経路１３０における湯水の流れを説明する。
浴槽２００に湯水が貯まっているものとする。浴槽循環ポンプ１３１を駆動することにより、浴槽循環経路１３０に湯水が循環することになる。浴槽循環ポンプ１３１を駆動すると、浴槽２００の湯水が、浴槽戻り配管１３４を介して浴槽２００から流出する。浴槽２００から流出した湯水は、浴槽循環ポンプ１３１で昇圧され、熱交換器１３３へと送られる。熱交換器１３３では、湯水循環経路１８０を流れる湯水と、浴槽循環経路１３０を流れる湯水と、で熱交換される。熱交換された湯水は、その後、浴槽往き配管１３５を経由し、再び浴槽２００へと戻る。
【００４３】
次に、湯水循環経路１８０における湯水の流れを説明する。
タンク循環ポンプ１２１を駆動することにより、湯水循環経路１８０に湯水が循環することになる。タンク循環ポンプ１２１を駆動すると、貯湯タンク１２０の湯水が貯湯タンク１２０の下部から流出する。貯湯タンク１２０から流出した湯水は、三方弁１２２を経由し、タンク循環ポンプ１２１で昇圧される。タンク循環ポンプ１２１で昇圧された湯水は、その後、第１四方弁１２３、及び、第２四方弁１２４を進み、熱交換器１３３へと送られる。熱交換器１３３では、湯水循環経路１８０を流れる湯水と、浴槽循環経路１３０を流れる湯水と、で熱交換される。熱交換された湯水は、その後、逆止弁１９７を通過し、貯湯タンク１２０の中段部へと戻る。
【００４４】
なお、三方弁１２２、第１四方弁１２３及び第２四方弁１２４は、ある特定の方向に対して開通している場合、他の方向については開通していない。
また、湯水循環経路１８０の熱交換器１３３の流出側には、逆止弁１９７が設置され、熱交換器１３３への湯水の逆流を防止している。
【００４５】
以上のように湯水を循環させることにより、熱交換器１３３では浴槽２００の湯水と貯湯タンク１２０の湯水とが熱交換される。したがって、浴槽２００の湯水の温度が、貯湯タンク１２０の下部に貯留されていた湯水の温度よりも高い場合、浴槽２００の湯水の熱を貯湯タンク１２０の湯水へと回収することができる。
【００４６】
＜給湯装置１００の浴槽洗浄運転＞
図５は、給湯装置１００が実行する浴槽洗浄運転を説明する概略構成図である。図５に基づいて、給湯装置１００が実行する浴槽洗浄運転について説明する。なお、図５では、湯水の流れを太線矢印で示している。
【００４７】
浴槽洗浄運転時、浴槽循環ポンプ１３１、タンク循環ポンプ１２１、三方弁１２２、第１四方弁１２３及び第２四方弁１２４は以下のように制御される。
浴槽循環ポンプ１３１は、予め設定されている回転数により駆動される。タンク循環ポンプ１２１は、停止される。つまり、浴槽洗浄運転時、湯水循環経路１８０では、湯水が循環しない。
【００４８】
浴槽２００に湯水が貯まっているものとする。浴槽循環ポンプ１３１を駆動することにより、浴槽循環経路１３０に湯水が循環することになる。浴槽循環ポンプ１３１を駆動すると、浴槽２００の湯水が、浴槽戻り配管１３４を介して浴槽２００から流出する。浴槽２００から流出した湯水は、浴槽循環ポンプ１３１で昇圧され、熱交換器１３３へと送られる。熱交換器１３３へと送られた湯水は、湯水循環経路１８０を流れる湯水と熱交換することなく、浴槽往き配管１３５を経由し、再び浴槽２００へと戻る。
【００４９】
こうすることにより、浴槽２００の湯水を、浴槽循環経路１３０に循環させることができる。ここで、浴槽２００の湯水に、洗浄効果を高める気泡及び添加剤の少なくとも１つを加えると、洗浄効果を有する洗浄液を湯水と一緒に浴槽２００で循環させることができる。このようにすれば、浴槽２００の洗浄効果が高まることになる。ただし、浴槽洗浄運転の終了後、洗浄液を浴槽２００に放置すると、浴槽２００から除去された汚れが、浴槽２００に再度付着する可能性がある。浴槽２００が自動排水又は自動すすぎといった特別な機能を有しない場合、洗浄効果を高めるためには、洗浄完了後、すぐにユーザによって排水及びすすぎの少なくとも一方が実施されることが好ましい。
【００５０】
気泡及び添加剤を含め、添加剤と称するものとする。
また、添加剤を予め給湯装置１００に充填しておき、必要に応じて添加剤を投入するとよい。あるいは、ユーザによって、その都度、添加剤が投入されてもよい。
なお、「排水」という場合には、排水及びすすぎの少なくとも一方が含まれるものとする。
【００５１】
浴槽熱回収運転及び浴槽洗浄運転の制御方式は、給湯装置１００を使用するユーザが、消費エネルギー抑制を優先する場合と、洗浄を優先する場合と、で異なる。以下、浴槽熱回収運転及び浴槽洗浄運転の制御方式について説明する。
なお、以下の説明において、消費エネルギー抑制を優先する場合を、消費エネルギーの低減効果を優先する場合と称する場合がある。また、洗浄を優先する場合を、浴槽２００の洗浄効果を優先する場合と称する場合がある。
【００５２】
＜消費エネルギー抑制を優先する場合の制御方式＞
まず、消費エネルギー抑制を優先する場合の制御方式について説明する。
高い消費エネルギーの低減効果を実現するためには、給湯装置１００の消費電力を抑える必要がある。浴槽熱回収運転にて、多量の熱を浴槽２００の湯水から回収できれば、湯水循環経路１８０における湯水の沸き上げ量を減少することができるため、給湯装置１００の消費電力を抑制することができる。
【００５３】
浴槽熱回収運転時の熱の回収量は、浴槽２００の湯水の温度が高い程大きくなる。浴槽２００の湯水の温度は、一般的に外気温度より高い。そのため、浴槽２００に湯水を長時間放置することで、湯水の温度は時間の経過とともに低下していくことになる。したがって、浴槽熱回収運転は、浴槽２００の湯水を長時間放置せずに実施した方が、高い消費エネルギーの低減効果が期待できる。
【００５４】
また、浴槽熱回収運転を実施することにより、浴槽２００の湯水の温度は低下していく。さらに、上述したように浴槽２００の湯水を長時間放置することによっても、浴槽２００の湯水の温度は低下していく。浴槽２００の湯水の温度が、貯湯タンク１２０の湯水の温度よりも低い場合、浴槽熱回収運転を継続すると、貯湯タンク１２０での蓄熱量は減少し、沸き上げ量が増加してしまう。そのため、給湯装置１００の消費電力は増加する。したがって、浴槽２００の湯水の温度が、貯湯タンク１２０の湯水の温度よりも低い場合は、浴槽熱回収運転を終了した方が、消費エネルギーの低減効果の高い運転となる。
【００５５】
浴槽洗浄運転を行う場合、浴槽２００の湯水に添加剤を加えるが、添加剤の性質により、浴槽熱回収運転時における熱交換器１３３の機能を低下させ、熱回収量を低減させることがある。この場合、浴槽熱回収運転中は、浴槽２００に添加剤を加えない方が、より消費エネルギーの低減効果の高い運転となる。すなわち、この場合は、浴槽熱回収運転と浴槽洗浄運転を同時に実施しないことにより、消費エネルギーの低減効果を高めることができる。
【００５６】
また、給湯装置１００の消費エネルギーの低減効果を高める方法として、浴槽循環ポンプ１３１の駆動時間を減らし、消費電力を減少させる方法がある。浴槽熱回収運転及び浴槽洗浄運転では、いずれも浴槽循環ポンプ１３１の運転を必要とする。そのため、浴槽熱回収運転及び浴槽洗浄運転を同時に実施することにより、浴槽循環ポンプ１３１の駆動時間を短縮し、消費電力を抑制し、消費エネルギーの低減効果を高めることができる。
【００５７】
また、浴槽洗浄運転に必要となる添加剤が界面活性効果を有する場合、浴槽循環経路１３０の流路抵抗が減少し、同等の循環流量において、浴槽循環ポンプ１３１の消費電力を抑制できる。これにより、浴槽熱回収運転を単独で実施する場合に比べ、消費エネルギーの低減効果を高めることができる。
【００５８】
＜洗浄を優先する場合の制御方式＞
次に、洗浄を優先する場合の制御方式について説明する。
浴槽洗浄運転を実施する場合、浴槽２００の湯水の温度が高い方が洗浄効果は高まる。したがって、浴槽洗浄運転を実施する際、追い焚き運転にて一度、貯湯タンク１２０に貯湯されている高温の湯水を利用して、浴槽２００の湯水を昇温させる。追い焚き運転を経てから、浴槽洗浄運転を実施することにより、浴槽２００の湯水の温度を上げることができ、洗浄効果を高めることができる。追い焚き運転については、図６を用いて以下に説明する。
【００５９】
また、洗浄効果を高める方法として、汚れの再固着を防ぐため、浴槽洗浄運転の直後に洗浄液の排水を行うという方法がある。しかし、排水は、浴槽２００が自動排水又は自動すすぎといった特別な機能を有しない場合、ユーザの実行タイミング任せになる。したがって、ユーザの習慣で排水が浴槽使用日の翌日の夕方といった、前回の浴槽使用から長時間経過された後に実行される場合、浴槽洗浄運転はその時点まで延期すればよい。こうすることで、浴槽洗浄運転の直後に排水が実行されることになり、洗浄効果を高めることができる。
【００６０】
図６は、給湯装置１００が実行する追い焚き運転を説明する概略構成図である。図６に基づいて、給湯装置１００が実行する追い焚き運転について説明する。なお、図６では、湯水の流れを太線矢印で示している。
【００６１】
追い焚き運転時、浴槽循環ポンプ１３１、タンク循環ポンプ１２１、三方弁１２２、第１四方弁１２３及び第２四方弁１２４は以下のように制御される。
浴槽循環ポンプ１３１は、予め設定されている回転数により駆動される。タンク循環ポンプ１２１は、予め設定されている回転数により駆動される。第１四方弁１２３は、第４ポートｄ２から第３ポートｃ２に湯水が流れるように制御される。つまり、第１四方弁１２３は、貯湯タンク１２０の下部と熱交換器１３３とを接続するように切り替えられる。第２四方弁１２４は、第４ポートｄ３から第１ポートａ３に湯水が流れるように制御される。つまり、第２四方弁１２４は、貯湯タンク１２０の上部と熱交換器１３３とを接続するように切り替えられる。
【００６２】
まず、浴槽循環経路１３０における湯水の流れを説明する。
浴槽２００に湯水が貯まっているものとする。浴槽循環ポンプ１３１を駆動することにより、浴槽循環経路１３０に湯水が循環することになる。浴槽循環ポンプ１３１を駆動すると、浴槽２００の湯水が、浴槽戻り配管１３４を介して浴槽２００から流出する。浴槽２００から流出した湯水は、浴槽循環ポンプ１３１で昇圧され、熱交換器１３３へと送られる。熱交換器１３３では、湯水循環経路１８０を流れる湯水と、浴槽循環経路１３０を流れる湯水と、で熱交換される。このとき、浴槽循環経路１３０を流れる湯水は、昇温する。昇温された湯水は、その後、浴槽往き配管１３５を経由し、再び浴槽２００へと戻る。
【００６３】
次に、湯水循環経路１８０における湯水の流れを説明する。
タンク循環ポンプ１２１を駆動することにより、湯水循環経路１８０に湯水が循環することになる。タンク循環ポンプ１２１を駆動すると、貯湯タンク１２０の湯水が貯湯タンク１２０の上部から流出する。貯湯タンク１２０の上部から流出した湯水は、第２四方弁１２４を経由し、熱交換器１３３へと送られる。熱交換器１３３では、湯水循環経路１８０を流れる湯水と、浴槽循環経路１３０を流れる湯水と、で熱交換される。熱交換された湯水は、その後、逆止弁１９７を通過し、貯湯タンク１２０の中段部へと戻る。
【００６４】
なお、三方弁１２２、第１四方弁１２３及び第２四方弁１２４は、ある特定の方向に対して開通している場合、他の方向については開通していない。
【００６５】
＜制御判定フロー＞
以上の内容を基に、図７〜図１０に示すフローチャートを用いて、ユーザニーズに応じた浴槽熱回収運転及び浴槽洗浄運転を実施するための制御フローについて説明する。図７は、給湯装置１００の浴槽熱回収運転及び浴槽洗浄運転をするための制御フローの一例を示したフローチャートである。図８は、給湯装置１００の浴槽洗浄効果を優先する場合の制御フローの一例を示したフローチャートである。図９は、給湯装置１００の排水及びすすぎの少なくとも一方がすぐに実施されない場合の制御フローの一例を示したフローチャートである。図１０は、給湯装置１００の消費エネルギーの低減効果を優先する場合の制御フローの一例を示したフローチャートである。図７〜図１０に示す制御フローは、制御装置１６０により実行される。
【００６６】
まず、図７を用いて、制御フローを説明する。本制御は、ステップＳ００１よりスタートする。スタートのタイミングは、ユーザに外部端末から浴槽熱回収実施要求が入った時又は予め定められた時刻になった時とする。
【００６７】
その後、ステップＳ００２に進み、仮に現在浴槽洗浄運転が実施された場合、例えば３０分〜１時間といった短時間の間に排水が実施できるかどうかが判定される。
判定の根拠となる排水の時間は、予め外部端末からユーザにより入力されているものとする。
なお、これまでの使用実績から制御装置１６０が排水の時間を学習するようにしてもよい。
【００６８】
排水がすぐに実施される場合は、ステップＳ００３へと進み、ユーザが給湯装置１００の消費エネルギーの低減を優先しているか、あるいは浴槽洗浄を優先しているかが判定される。なお、ユーザは、給湯リモコン等の図示しない外部端末を介して、消費エネルギーの低減又は浴槽洗浄のいずれかを優先していることを入力する。
【００６９】
なお、ステップＳ００２にて、排水がすぐに実施されない場合については後述する。
【００７０】
ユーザが給湯装置１００の消費エネルギーの低減効果を優先する場合、ステップＳ００４へと進む。ステップＳ００４では、浴槽洗浄運転に用いられる添加剤が熱交換器１３３の伝熱性能を低下させるかどうかが判定される。
ステップＳ００４にて、伝熱性能を低下させると判定した場合、添加剤を投入せずに、ステップＳ００７、ステップＳ００８へと進み、浴槽循環ポンプ１３１とタンク循環ポンプ１２１を駆動させる。
このときの湯水循環経路１８０での湯水の流れは、図４に示した浴槽熱回収運転と同様とする。これにより、熱交換器１３３の伝熱性能を低下させることなく、高効率な熱回収運転を実施することができる。
【００７１】
なお、ステップＳ００３にて、ユーザが浴槽洗浄効果を優先する場合については後述する。
【００７２】
ステップＳ００４にて、伝熱性能を低下させないと判定した場合、ステップＳ００５へ進み、添加剤を加えて、ポンプ入力を抑制できるかどうかが判定される。
ステップＳ００５にて、ポンプ入力を抑制できると判定した場合、ステップＳ００６へ進み、添加剤が投入される。その後、ステップＳ００７、ステップＳ００８へと進み、浴槽循環ポンプ１３１とタンク循環ポンプ１２１を駆動させる。
【００７３】
このときの湯水循環経路１８０での湯水の流れは、図４に示した浴槽熱回収運転と同様とする。これにより、ポンプ入力を抑制し、高効率な熱回収運転を実施することができる。また、添加剤を投入した状態で浴槽循環ポンプ１３１を駆動しているため、浴槽熱回収運転及び浴槽洗浄運転を同時に実施でき、両運転を別々に実施すると場合に比べ、浴槽循環ポンプ１３１の駆動時間を短縮できる。その結果、消費エネルギーの低減効果が高まることになる。
【００７４】
ステップＳ００５にて、ポンプ入力を抑制する効果が無いと判定した場合、添加剤を投入せずに、ステップＳ００７、ステップＳ００８へと進み、浴槽循環ポンプ１３１とタンク循環ポンプ１２１を駆動させる。
このときの湯水循環経路１８０での湯水の流れは、図４に示した浴槽熱回収運転と同様とする。
【００７５】
ステップＳ００９では、浴槽２００の湯水の温度と貯湯タンク１２０の湯水の温度とが比較される。
浴槽２００の湯水の温度が貯湯タンク１２０の湯水の温度より高い場合、依然、浴槽２００に回収できる熱量が残っている状態のため、浴槽循環ポンプ１３１及びタンク循環ポンプ１２１の運転を継続する。
貯湯タンク１２０の湯水の温度が浴槽２００の湯水の温度より高くなったとき、ステップＳ０１０へと進み、タンク循環ポンプ１２１を停止し、浴槽熱回収運転を終了する。
そのため、特別な装置などを使用せずに、浴槽熱回収運転及び浴槽洗浄運転の制御の適正化を図ることが可能になる。
【００７６】
ステップＳ０１１では、浴槽２００に既に添加剤が投入されているかどうかが判定される。
添加剤が投入済みであると判定した場合、これまでの浴槽循環ポンプ１３１の駆動により、十分な洗浄が行われたものとし、ステップＳ０３５で浴槽循環ポンプ１３１を停止し、浴槽洗浄運転を終了する。
まだ添加剤が投入されていないと判定した場合、ステップＳ０１２で添加剤を投入し、ステップＳ０１３で浴槽循環ポンプ１３１を予め定めた時間で駆動し、浴槽洗浄運転を実施する。その後、ステップＳ０３５で浴槽循環ポンプ１３１を停止し、浴槽洗浄運転を終了する。
【００７７】
浴槽洗浄運転終了後、ステップＳ０４１へと進み、排水が実施される。
その後、ステップＳ０４２で一連のフローが完了する。
【００７８】
次に、図８を用いて、図７に示すステップＳ００３において、ユーザが消費エネルギーの低減効果を優先しない、すなわち浴槽洗浄効果を優先する場合の制御フローを説明する。
【００７９】
ユーザが浴槽洗浄効果を優先する場合、ステップＳ００３より、ステップＳ０１４へと進み、浴槽２００に添加剤が投入される。その後、ステップＳ０１５、ステップＳ０１６へと進み、浴槽循環ポンプ１３１を駆動し、浴槽洗浄運転を実施する。このとき、タンク循環ポンプ１２１は駆動していない。そのため、浴槽２００に溜められている湯水から貯湯タンク１２０の湯水へと熱回収されることが無く、浴槽循環経路１３０を循環する湯水の温度を高く維持したまま、浴槽洗浄運転を実施することができる。これにより浴槽洗浄効果が高まることになる。
【００８０】
ステップＳ０１６で浴槽循環ポンプ１３１を予め定めた時間で駆動した後、ステップＳ０１７にてタンク循環ポンプ１２１を駆動し、浴槽熱回収運転を実施する。このときの湯水循環経路１８０での湯水の流れは、図４に示した浴槽熱回収運転と同様とする。
【００８１】
ステップＳ０１８では、浴槽２００の湯水の温度と貯湯タンク１２０の湯水の温度とが比較される。
浴槽２００の湯水の温度が貯湯タンク１２０の湯水の温度より高い場合、依然、浴槽２００に回収できる熱量が残っている状態のため、浴槽循環ポンプ１３１及びタンク循環ポンプ１２１の運転を継続する。
貯湯タンク１２０の湯水の温度が浴槽２００の湯水の温度より高くなったとき、ステップＳ０１９、ステップＳ０３５へと進み、タンク循環ポンプ１２１及び浴槽循環ポンプ１３１を停止し、浴槽熱回収運転及び浴槽洗浄運転を終了する。
【００８２】
浴槽熱回収運転及び浴槽洗浄運転の終了後、ステップＳ０４１へと進み、排水が実施される。
その後、ステップＳ０４２で一連のフローが完了する。
【００８３】
次に、図９を用いて図７に示すステップＳ００２において、排水がすぐに実施されない場合の制御フローを説明する。
【００８４】
排水がすぐに実施されない場合、ステップＳ００２より、ステップＳ０２０へと進み、浴槽洗浄運転に用いられる添加剤が熱交換器１３３の伝熱性能を低下させるかどうかが判定される。
ステップＳ０２０にて、伝熱性能を低下させると判定した場合、添加剤を投入せずに、ステップＳ０２３、ステップＳ０２４へと進み、浴槽循環ポンプ１３１とタンク循環ポンプ１２１を駆動させる。
このときの湯水循環経路１８０での湯水の流れは、図４に示した浴槽熱回収運転と同様とする。これにより、熱交換器１３３の伝熱性能を低下させることなく、高効率な熱回収運転を実施することができる。
【００８５】
ステップＳ０２０にて、伝熱性能を低下させないと判定した場合、ステップＳ０２１へ進み、添加剤を加えて、ポンプ入力を抑制できるかどうかが判定される。
ステップＳ０２１にて、ポンプ入力を抑制できると判定した場合、ステップＳ０２２へ進み、添加剤が投入される。その後、ステップＳ０２３、ステップＳ０２４へと進み、浴槽循環ポンプ１３１とタンク循環ポンプ１２１を駆動させる。
【００８６】
このときの湯水循環経路１８０での湯水の流れは、図４に示した浴槽熱回収運転と同様とする。これにより、ポンプ入力を抑制し、高効率な熱回収運転を実施することができる。また、添加剤を投入した状態で浴槽循環ポンプ１３１を駆動しているため、浴槽熱回収運転及び浴槽洗浄運転を同時に実施でき、両運転を別々に実施すると場合に比べ、浴槽循環ポンプ１３１の駆動時間を短縮できる。その結果、消費エネルギーの低減効果が高まることになる。
【００８７】
ステップＳ０２１にて、ポンプ入力を抑制する効果が無いと判定した場合、添加剤を投入せずに、ステップＳ０２３、ステップＳ０２４へと進み、浴槽循環ポンプ１３１とタンク循環ポンプ１２１を駆動させる。
このときの湯水循環経路１８０での湯水の流れは、図４に示した浴槽熱回収運転と同様とする。
【００８８】
ステップＳ０２５では、浴槽２００の湯水の温度と貯湯タンク１２０の湯水の温度とが比較される。
浴槽２００の湯水の温度が貯湯タンク１２０の湯水の温度より高い場合、依然、浴槽２００に回収できる熱量が残っている状態のため、浴槽循環ポンプ１３１及びタンク循環ポンプ１２１の運転を継続する。
貯湯タンク１２０の湯水の温度が浴槽２００の湯水の温度より高くなったとき、ステップＳ０２６へと進み、タンク循環ポンプ１２１を停止し、浴槽熱回収運転を終了する。
【００８９】
浴槽洗浄運転終了後、ステップＳ０２７へと進み、ユーザが給湯装置１００の消費エネルギーの低減効果を優先しているか、あるいは浴槽洗浄効果を優先しているかが判定される。ユーザが消費エネルギーの低減効果を優先しない、すなわち浴槽洗浄効果を優先する場合、ステップＳ０２８、ステップＳ０２９へと進み、浴槽循環ポンプ１３１を停止し、排水が行われる時間まで待機する。
【００９０】
なお、ステップＳ０２７にて、ユーザが消費エネルギーの低減効果を優先する場合については後述する。
【００９１】
ステップＳ０２９にて待機後、ステップＳ０３０、ステップＳ０３１へと進み、浴槽循環ポンプ１３１とタンク循環ポンプ１２１を駆動させ、追い焚き運転を実施する。
このときの湯水循環経路１８０での湯水の流れは、図６に示した追い焚き運転と同様とする。これにより、浴槽２００の湯水の温度が再び上昇し、浴槽洗浄に適した温度で浴槽洗浄を行うことができる。
なお、貯湯タンク１２０は断熱材によって保温されているため、湯水を浴槽２００に長時間放置するよりも、一度、貯湯タンク１２０の湯水に熱を回収し、その後再度、浴槽２００の湯水に熱を供給することで、放熱量を抑制できる。
【００９２】
ステップＳ０３２では、浴槽２００に既に添加剤が投入されているかどうかが判定される。
添加剤が投入済みであると判定した場合、これまでの浴槽循環ポンプ１３１の駆動により、十分な洗浄が行われたものとし、ステップＳ０３５で浴槽循環ポンプ１３１を停止し、浴槽洗浄運転を終了する。
まだ添加剤が投入されていないと判定した場合、ステップＳ０３３で添加剤を投入し、ステップＳ０３４で浴槽循環ポンプ１３１を予め定めた時間で駆動し、浴槽洗浄運転を実施する。その後、ステップＳ０３５で浴槽循環ポンプ１３１を停止し、浴槽洗浄運転を終了する。
【００９３】
浴槽洗浄運転終了後、ステップＳ０４１へと進み、排水が実施される。
その後、ステップＳ０４２で一連のフローが完了する。
【００９４】
最後に、図１０を用いて、図９に示すステップＳ０２７において、ユーザが消費エネルギーの低減効果を優先する場合の制御フローを説明する。
【００９５】
ユーザが給湯装置１００の消費エネルギーの低減効果を優先する場合、ステップＳ０３６で、浴槽２００に既に添加剤が投入されているかどうかが判定される。
添加剤が投入済みであると判定した場合、これまでの浴槽循環ポンプ１３１の駆動により、十分な洗浄が行われたものとし、ステップＳ０３９で浴槽循環ポンプ１３１を停止し、浴槽洗浄運転を終了する。
まだ添加剤が投入されていないと判定した場合、ステップＳ０３７で添加剤を投入し、ステップＳ０３８で浴槽循環ポンプ１３１を予め定めた時間で駆動し、浴槽洗浄運転を実施する。その後、ステップＳ０３９で浴槽循環ポンプ１３１を停止し、浴槽洗浄運転を終了する。
【００９６】
ステップＳ０４０で、排水が行われる時間まで待機する。
ステップＳ０４１にて待機後、排水が実施される。
その後、ステップＳ０４２で一連のフローが完了する。
【００９７】
以上のように、図７〜図１０に示す制御フローに従うことで、ユーザの求めに応じた浴槽熱回収運転及び浴槽洗浄運転を実施することができる。
【００９８】
以上のように給湯装置１００は、浴槽２００の湯水が排水される前に、浴槽熱回収運転及び浴槽洗浄運転の双方を実施するので、浴槽熱回収運転及び浴槽洗浄運転の制御の適正化を図ることが可能になる。
【００９９】
給湯装置１００は、制御装置１６０が、消費エネルギーの抑制を優先する場合又は洗浄を優先する場合が選択されることで、浴槽循環ポンプ１３１及びタンク循環ポンプ１２１の駆動順序を変更する。そのため、給湯装置１００によれば、ユーザの求める消費エネルギーの抑制を優先する運転又は洗浄を優先する運転を実施することができる。
【０１００】
給湯装置１００は、制御装置１６０が、消費エネルギーの抑制を優先する場合が選択されているとき、浴槽熱回収運転を実施し、その後、タンク循環ポンプ１２１を停止し、浴槽循環ポンプ１３１の駆動を継続する。そのため、給湯装置１００によれば、ユーザの求めに応じた消費エネルギーの抑制運転が実施できる。
【０１０１】
給湯装置１００は、制御装置１６０が、洗浄を優先する場合が選択されているとき、浴槽洗浄運転を実施し、その後、タンク循環ポンプ１２１を駆動させ、浴槽熱回収運転を実施し、その後、タンク循環ポンプ１２１及び浴槽循環ポンプ１３１を停止する。そのため、給湯装置１００によれば、ユーザの求めに応じた洗浄を優先した運転が実施できる。
【０１０２】
給湯装置１００は、制御装置１６０が、浴槽２００の湯水が排水される前に浴槽熱回収運転を実施し、その後に洗浄を優先する場合が選択されているとき、追い焚き運転を実施し、その後、浴槽洗浄運転を実施する。そのため、給湯装置１００によれば、浴槽洗浄に適した温度で浴槽洗浄を行うことができる。
【０１０３】
給湯装置１００は、制御装置１６０が、浴槽洗浄運転を停止させた後に、浴槽熱回収運転を実施し、その後、再度、浴槽洗浄運転を実施する。そのため、給湯装置１００によれば、浴槽２００の湯水の熱を、一度、貯湯タンク１２０の湯水に回収し、その後、浴槽２００の湯水に熱を供給することで、放熱量を抑制できることになる。
【０１０４】
給湯装置１００は、制御装置１６０が、追い焚き運転の実施前に、タンク循環ポンプ１２１及び浴槽循環ポンプ１３１を停止させ、その後、再度、タンク循環ポンプ１２１及び浴槽循環ポンプ１３１を駆動させることで追い焚き運転を実施する。そのため、給湯装置１００によれば、追い焚き運転の前にタンク循環ポンプ１２１及び浴槽循環ポンプ１３１を駆動させることがなく、消費エネルギーの低減を図ることができる。
【０１０５】
給湯装置１００は、制御装置１６０が、貯湯タンク１２０の湯水の温度と浴槽２００の湯水の温度との差温によって、タンク循環ポンプ１２１の停止を決定する。そのため、給湯装置１００によれば、特別な装置を用いることなく、浴槽熱回収運転及び浴槽洗浄運転の制御の適正化を図ることが可能になる。
【０１０６】
給湯装置１００は、浴槽洗浄運転を実施する前に添加剤が投入されるので、浴槽洗浄運転における洗浄効果を高めることが可能になる。
【０１０７】
本発明の実施の形態を説明したが、本発明は実施の形態で説明した内容に限定されるものではなく、本発明の要旨を逸脱しない範囲内において種々の変形及び応用が可能である。上記実施の形態では、給湯装置１００が熱源としてヒートポンプユニット１１０を用いたヒートポンプ給湯装置である場合を例に説明したが、給湯装置１００が電気ヒータ又はガス燃焼を熱源として利用した給湯装置であってもよい。
【符号の説明】
【０１０８】
３１  配管、３２  配管、３３  配管、５１  第１高温水管、５２  第２高温水管、５３  逆止弁、５５  配管、５６  配管、６０  温度調整部、６１  逆止弁、６２  逆止弁、６３  三方弁、６４  三方弁、６５  三方弁、６６  二方弁、１００  給湯装置、１１０  ヒートポンプユニット、１２０  貯湯タンク、１２１  タンク循環ポンプ、１２２  三方弁、１２３  第１四方弁、１２４  第２四方弁、１３０  浴槽循環経路、１３１  浴槽循環ポンプ、１３３  熱交換器、１３４  浴槽戻り配管、１３５  浴槽往き配管、１４０  給湯端末、１４０Ａ  配管、１５０  給水端、１５０Ａ  配管、１５１  給水管、１６０  制御装置、１６１  ＣＰＵ、１６２  通信インタフェース、１６３  ＲＯＭ、１６４  ＲＡＭ、１６５  二次記憶装置、１６６  バス、１６７  ユーザインタフェース部、１６８  機器状態取得部、１６９  機器制御部、１７０  運転モード実行部、１８０  湯水循環経路、１９７  逆止弁、２００  浴槽、ａ１  第１ポート、ａ２  第１ポート、ａ３  第１ポート、ｂ１  第２ポート、ｂ２  第２ポート、ｂ３  第２ポート、ｃ１  第３ポート、ｃ２  第３ポート、ｃ３  第３ポート、ｄ２  第４ポート、ｄ３  第４ポート。
【図１】
2019077684.tif 000003
【図２】
2019077684.tif 000004
【図３】
2019077684.tif 000005
【図４】
2019077684.tif 000006
【図５】
2019077684.tif 000007
【図６】
2019077684.tif 000008
【図７】
2019077684.tif 000009
【図８】
2019077684.tif 000010
【図９】
2019077684.tif 000011
【図１０】
2019077684.tif 000012
【国際調査報告】
2019077684.tif 000013
2019077684.tif 000014
2019077684.tif 000015
2019077684.tif 000016